(57)【要約】【課題】拡大連写において画像面に出るふちの最小化を図り、不必要なふちを切り取る手間を少なくする。【解決手段】３辺ふちなしの画像形成装置を使って、１辺もしくは２辺のふちを貼り付けしろにして、貼り付けしろの位置が適正になるように画像を回転制御するため、複数の出力画像合成時に余白となるふちの形成を最小にする。【選択図】        図１
2004325492.tif 000002
【特許請求の範囲】
【請求項１】
回転可能な像担持体と、該像担持体の表面に画像情報に基づく現像剤像を形成する現像剤像形成手段と、複数の転写材供給手段とを備え、１つの画像情報を複数に分割した状態の現像剤像を各別の転写材に転写し、複数枚の転写材をつなげて一連の画像を形成する画像形成装置において、
前記１つの画像情報を複数に分割した状態の現像剤像を各別の前記転写材に転写して画像形成するとともに、これら現像剤像形成後の転写材をつなげ合わして前記１つの画像情報に対応する拡大現像剤像を形成する場合に、
１辺もしくは２辺を転写材をつなげ合わす時の貼り合せしろとして非画像域である余白を形成し、貼り合せしろとならない余白は転写材をつなげ合わした時に小さくなるように転写材に対する画像形成方向を回転させることを特徴とする画像形成装置。
【請求項２】
前記余白の１つが転写材送り方向の先端に位置するように画像形成方向を回転し、画像形成方向に合わせた転写材供給手段を選択することを特徴とする請求項１記載の画像形成装置。
【発明の詳細な説明】
【０００１】
【発明の属する技術分野】
本発明は、例えば原稿画像を拡大して複写する画像形成装置に関するものである。
【０００２】
【従来の技術】
従来より、この種の装置においては、原稿画像を拡大して転写紙に転写する場合、原稿画像の拡大画像が転写紙のサイズより大きくなるときに、複数の転写紙に原稿画像を分割して転写し、転写紙をつなぎ合わせて原稿の拡大画像を形成する機能がすでに開発されている。
【０００３】
また、従来技術として特開平１０−１１５９９９号公報のように転写紙のつなぎ目での濃度差を目立たなくするために転写材に対する画像形成方向を回転する技術も開示されている。
【０００４】
【発明が解決しようとする課題】
しかしながら、上記従来例では、転写紙をつなげて１つの画像情報にする場合、転写紙に転写された画像は４辺に余白であるふち出来るため、転写紙をつなげてもつながった１つの画像情報にならない。このため転写紙の４辺のふちを切り取ってから転写紙をつなげなければ１つの拡大画像を作ることが出来ない。つまり、１つの拡大画像を作るには画像面に出る転写紙全部の４辺のふちを切り取ると言った手間が発生してしまう。また、これを解決するために４辺のふちをなくして画像形成することも考えられる。しかし、転写紙全面に画像形成すると定着部でジャムが発生してしまう。
【０００５】
【課題を解決するための手段】
上記課題を解決するために請求項１記載の画像形成装置は、回転可能な像担持体と、該像担持体の表面に画像情報に基づく現像剤像を形成する現像剤像形成手段と、複数の転写材供給手段とを備え、１つの画像情報を複数に分割した状態の現像剤像を各別の転写材に転写し、複数枚の転写材をつなげて一連の画像を形成する画像形成装置において、前記１つの画像情報を複数に分割した状態の現像剤像を各別の前記転写材に転写して画像形成するとともに、これら現像剤像形成後の転写材をつなげて前記１つの画像情報に対応する拡大現像剤像を形成する場合に、１辺もしくは２辺を転写材をつなげ合わす時の貼り合せしろとして前記余白を形成し、貼り合せしろとならない余白は転写材をつなげ合わした時に最小となるように転写材に対する画像形成方向を回転させることを特徴とする。
【０００６】
【発明の実施の形態】
図１は、本発明の実施例における画像複写装置の構造を示す概略断面図である。
【０００７】
図１において、原稿給送装置１上に積載された原稿は、１枚ずつ順次原稿台ガラス２面上に搬送される。そして、原稿が搬送されると、スキャナ３のランプが点灯し、かつスキャナユニット４が移動して原稿を照射する。原稿の反射光は、ミラー５、６、７を介してレンズ８を通過し、その後イメージセンサ部９に入力される。
【０００８】
イメージセンサ部９に入力された画像信号は不図示の信号処理回路により処理され露光制御部１０に入力される。信号処理回路では画像の拡大・分割・回転などの処理もおこなわれる。そして露光制御部１０にて光信号に変換され、画像信号に従って変調されて感光体１１を照射する。この照射光によって感光体１１上に作られた潜像は、現像器１２あるいは１３によって現像される。上記潜像タイミングに合わせて、被転写紙積載部１４あるいは１５より転写紙が搬送され、転写部１６において、上記現像されたトナー像が転写される。そして、転写されたトナー像は、定着部１７にて被転写紙に定着された後、排紙部１８より装置外部に排出される。被転写紙積載部１４は転写紙搬送の横送り方向に対応し、被転写紙積載部１５は転写紙搬送の縦送り方向に対応している。さらに本画像複写装置は３辺に余白のない３辺ふちなし画像形成に対応している。
【０００９】
図２は、本実施例の画像複写装置における画像形成された転写紙の３辺ふちなし画像に出来る１辺の余白つまりふちの位置を表した図である。
【００１０】
図２の示すように、１辺のふちとなる余白は、転写紙の搬送方向の先端に来るのが望ましい。これは、転写紙の先端に現像剤であるトナーがあると定着部１７の上ローラにトナーが貼り付き転写紙先端が上ローラから分離出来なくなり定着ジャムを起こす確立が高いためである。このため、１辺のふちとなる余白は転写紙の搬送方向の先端に形成している。
【００１１】
次に、Ａ４サイズの原稿をＡ４サイズの転写紙４枚に拡大した時の実施例について説明する。
【００１２】
図３は、従来例におけるふちの位置とふちに対する画像形成方向を表す図、図４は、従来例の画像形成方法を説明するフローチャートである。
【００１３】
通常、Ａ４サイズの転写紙に画像形成する場合は、被転写紙積載部１４の転写紙搬送方向の横送りを選択して、転写紙を横送りにして画像形成の生産性を向上させている。また、画像形成方向も図４のフローチャートどうり通常の画像形成がおこなわれるため、転写紙に形成された画像に対して左方向に余白が出来るが、右側の転写紙は転写紙をつなげ合わした時の貼り合せしろとなるため画像面には出てこない。また、転写紙を縦送りにすると、転写紙に形成された画像に対して上方向に余白が出来る。このため、画像に出る余白は左方向または上方向に固定されてしまう。
【００１４】
図５、図７は、本発明の実施例におけるふちの位置とふちに対する画像形成方向の回転を表す図、図６は、本発明の実施例における画像形成方法を説明するフローチャートである。まず、ふちが貼り合せしろとなるように設定し、ふちの位置に合わせて画像を回転させて転写紙の送り方向に合わせて被転写紙積載部１４あるいは１５を選択し画像形成することで、転写紙に出来るふちの位置は自由に設定できる。
【００１５】
図５では、図６のフローチャートのように転写紙を張り合わせた時に右側に来る転写紙２枚（３枚目、４枚目）を、転写紙を縦送りで画像を１８０°回転させ、転写紙を張り合わせた時に左側に来る転写紙２枚（１枚目、２枚目）を、転写紙を横送りで画像を９０°回転させて画像形成している。このため、画像に出る余白は下方向にすることが出来て図３の左側有るふちより少なく出来る。
図７では、本発明の実施例を応用して図５より更に画像に出る余白を少なくした図である。転写紙を張り合わせた時に左下側に来る転写紙１枚の貼り合せしろを大きくして転写紙を張り合わせることで、画像に出る余白を右下側に来る転写紙１枚にしで画像に出る余白を更に少なくすることが出来る。
【００１６】
【発明の効果】
以上のように、本発明によれば、定着ジャムを防止しつつ、ふちを切り取る手間を最小にして、高信頼性で使いかってが良い画像形成装置を提供できる。また、成果物の品位（見栄え）の向上できるため、ポスターや地図等の画像拡大時には効果的である。
【図面の簡単な説明】
【図１】本発明の実施例における画像複写装置の構造を示す概略断面図である。
【図２】実施例におけるふちと画像の関係を示す図である。
【図３】従来例におけるふちと画像形成方向を示す図である。
【図４】従来例におけるフローチャートを示す図である。
【図５】本発明の実施例におけるふちと画像形成方向を示す図である。
【図６】本発明の実施例におけるフローチャートを示す図である。
【図７】本発明の実施例におけるふちと画像形成方向を示す図である。
【符号の説明】
１  原稿給装装置
３  スキャナ
９  イメージセンサ部
１１  感光体
１２、１３  現像器
１４、１５  被転写紙積載部
１６  転写部
１７  定着部
【図１】
2004325492.tif 000003
【図２】
2004325492.tif 000004
【図３】
2004325492.tif 000005
【図４】
2004325492.tif 000006
【図５】
2004325492.tif 000007
【図６】
2004325492.tif 000008
【図７】
2004325492.tif 000009